(57)【特許請求の範囲】
【請求項１】
スリットが形成された弾性隔壁部材を備え、外周面に係合孔が形成されたニードルレスポートであって、前記係合孔の周方向の端縁の位置が不変である前記ニードルレスポートに接続可能な医療用オスコネクタであって、
前記弾性隔壁部材の前記スリットに挿入される挿入部と、
前記挿入部に対向する係合アームと、
前記係合アームの前記挿入部に対向する側の面に設けられた、前記係合孔に嵌入する係合爪とを備え、
前記係合爪の頂部に対して前記挿入部の中心軸を中心とする周方向の少なくとも一方の側に、前記挿入部から遠ざかるにしたがって前記係合爪の幅寸法が拡大するように傾斜した案内面が形成されていることを特徴とする医療用オスコネクタ。
【請求項２】
前記係合爪が前記係合孔に嵌入したとき、前記係合孔の周方向の端縁が前記案内面に当接又は対向する請求項１に記載の医療用オスコネクタ。
【請求項３】
前記医療用オスコネクタが前記ニードルレスポートに接続された状態において前記医療用オスコネクタを前記ニードルレスポートに対して回転させたとき、前記係合爪の前記案内面が前記係合孔の周方向の端縁上を摺動し、前記係合爪が前記係合孔から脱出する請求項１又は２に記載の医療用オスコネクタ。
【請求項４】
前記係合爪が前記係合孔から脱出すると、前記弾性隔壁部材が弾性回復し、前記挿入部を前記スリットから排出する請求項３に記載の医療用オスコネクタ。
【請求項５】
前記案内面が、前記係合爪の前記頂部に対して前記挿入部の前記中心軸を中心とする周方向の両側に設けられている請求項１〜４のいずれか一項に記載の医療用オスコネクタ。
【請求項６】
前記係合爪に、前記頂部から前記係合アームの先端に近づくにしたがって前記挿入部から遠ざかるように傾斜した摺動面が形成されている請求項１〜５のいずれか一項に記載の医療用オスコネクタ。
【請求項７】
前記係合爪を備えた前記係合アームが前記挿入部の前記中心軸に対して等角度間隔に複数個設けられている請求項１〜６のいずれか一項に記載の医療用オスコネクタ。
【請求項８】
請求項１〜７のいずれか一項に記載の医療用オスコネクタと、前記ニードルレスポートとを備える医療用接続具。
【請求項９】
スリットが形成された弾性隔壁部材を備え、外周面に係合孔が形成されたニードルレスポートであって、前記係合孔の周方向の端縁の位置が不変である前記ニードルレスポートと、
前記弾性隔壁部材の前記スリットに挿入される挿入部、前記挿入部に対向する係合アーム、及び、前記係合アームの前記挿入部に対向する側の面に設けられ且つ前記係合孔に嵌入する係合爪を備えた医療用オスコネクタと
を備える医療用接続具であって、
前記ニードルレスポートの前記係合孔の周方向における少なくとも一方の側の前記端縁に、前記ニードルレスポートの中心軸から離れるにしたがって前記係合孔の開口幅が拡大するように傾斜した案内面が形成されていることを特徴とする医療用接続具。
【請求項１０】
前記係合爪が前記係合孔に嵌入したとき、前記係合爪が前記係合孔の前記案内面に当接又は対向する請求項９に記載の医療用接続具。
【請求項１１】
前記医療用オスコネクタと前記ニードルレスポートとが接続された状態において前記医
療用オスコネクタを前記ニードルレスポートに対して回転させたとき、前記係合爪が前記案内面上を摺動し、前記係合爪が前記係合孔から脱出する請求項９又は１０に記載の医療用接続具。
【請求項１２】
前記係合爪が前記係合孔から脱出すると、前記弾性隔壁部材が弾性回復し、前記挿入部を前記スリットから排出する請求項１１に記載の医療用接続具。
【請求項１３】
前記案内面が、前記係合孔の周方向における両側に設けられている請求項９〜１２のいずれか一項に記載の医療用接続具。
【請求項１４】
前記ニードルレスポートの外周面の、前記医療用オスコネクタ側の端縁と前記係合孔との間の領域に、前記係合孔に近づくにしたがって前記ニードルレスポートの前記中心軸から離れるように傾斜した摺動面が形成されている請求項９〜１３のいずれか一項に記載の医療用接続具。
【請求項１５】
前記係合爪の頂部に対して前記挿入部の中心軸を中心とする周方向の少なくとも一方の側に、前記挿入部から遠ざかるにしたがって前記係合爪の幅寸法が拡大するように傾斜した第２案内面が形成されている請求項９〜１４のいずれか一項に記載の医療用接続具。
【請求項１６】
前記係合爪に、前記頂部から前記係合アームの先端に近づくにしたがって前記挿入部から遠ざかるように傾斜した第２摺動面が形成されている請求項９〜１５のいずれか一項に記載の医療用接続具。
【請求項１７】
前記係合孔が前記ニードルレスポートの前記中心軸に対して等角度間隔に複数個設けられており、前記係合爪を備えた前記係合アームが前記挿入部の前記中心軸に対して等角度間隔に複数個設けられている請求項９〜１６のいずれか一項に記載の医療用接続具。
【発明の詳細な説明】
【技術分野】
【０００１】
本発明は、医療用オスコネクタに関する。また、本発明は、医療用オスコネクタとニードルレスポートとからなる医療用接続具に関する。
【背景技術】
【０００２】
患者に輸液や輸血を行ったり、手術において体外血液循環を行ったりする場合に、薬液や血液などの液状物を輸送するための経路（輸送ライン）を形成する必要がある。輸送ラインは、一般に、容器や各種器具、送液チューブなどを接続することによって形成される。異なる部材を着脱可能に接続するためにコネクタ（または接続具）が使用される。
【０００３】
このようなコネクタの一例が特許文献１に記載されている。以下に、このコネクタを説明する。
【０００４】
図１６Ａは、このコネクタを構成するオスコネクタ９００の側面図、図１６Ｂはその断面図である。オスコネクタ９００は、液状物が通る管体９０１を備える。管体９０１の一端は、後述するニードルレスポートに挿入される挿入部９０２であり、その他端は柔軟なチューブが接続される基端部９０３である。管体９０１と同軸の略円筒形状を有するフード９０５が、挿入部９０２を取り囲むように、管体９０１に一体に設けられている。管体９０１を挟むように、管体９０１と略平行な一対のロックレバー９１０が設けられている。ロックレバー９１０は、その長手方向の略中央位置に設けられた支持片９０７にて管体９０１に接続されている。ロックレバー９１０は、支持片９０７に対して一方の側にロック片９１１を備え、他方の側に操作片９１５を備える。ロック片９１１が挿入部９０２と直接対向するように、フード９０５が切り欠かれている。ロック片９１１の挿入部９０２に対向する側の面の先端には、係合爪９１２が形成されている。係合爪９１２の頂部９１３に対して支持片９０７とは反対側には、頂部９１３から離れるにしたがって挿入部９０２から遠ざかるように傾斜した摺動面９１４が形成されている。
【０００５】
ロック片９１１及び操作片９１５を含むロックレバー９１０は実質的に剛体とみなすことができる。一方、ロックレバー９１０を支持する支持片９０７は弾性的に湾曲可能である。従って、支持片９０７が湾曲することにより、一対のロックレバー９１０は弾性的に揺動する。即ち、ロック片９１１が互いに接近するように変位すると、操作片９１５が互いに離れるように変位し、逆に、ロック片９０７が互いに離れるように変位すると、操作片９１５が互いに接近するように変位する。
【０００６】
図１６Ａ及び図１６Ｂに示したオスコネクタ９００は、図１７に示すニードルレスポート９５０と接続される。このニードルレスポート９５０は、中央部に直線状のスリット（切り込み）９５２が形成されたゴム等の弾性材料からなる円板状の隔壁部材（以下、「セプタム」という）９５１を備える。セプタム９５１は、略円筒形状の基体部９６１とキャップ９６５とに挟持され固定されている。キャップ９６５は、基体部９６１と嵌合する円筒部９６６と、円筒部９６６の一端に設けられた天板９６７とを備える。天板９６７の中央には円形の開口９６８が形成されている。セプタム９５１のスリット９５２は開口９６８内に露出している。
【０００７】
オスコネクタ９００とニードルレスポート９５０との接続は以下のようにして行う。
【０００８】
図１７に示すように、ニードルレスポート９５０にオスコネクタ９００を対向させ、キャップ９６５がフード９０５内に挿入されるように、オスコネクタ９００をニードルレスポート９５０に押し付ける。
【０００９】
ロックレバー９１０の係合爪９１２の傾斜面９１４がキャップ９６５の円筒部９６６の一方の外周端縁９６６ａに当接すると、ロック片９１１が互いに離れるように支持片９０７が弾性変形する。その後、係合爪９１２は、円筒部９６６の外周面上を摺動する。そして、係合爪９１２の頂部９１３が円筒部９６６の他方の外周端縁９６６ｂを過ぎると、支持片９０７が弾性回復し、ロック片９１１が互いに接近するように変位し、係合爪９１２と円筒部９６６の外周端縁９６６ｂとが係合する。一方、オスコネクタ９００の挿入部９０２がセプタム９５１のスリット９５２に挿入される。
【００１０】
その結果、図１８に示すように、オスコネクタ９００とニードルレスポート９５０とを接続することができる。係合爪９１２と外周端縁９６６ｂとが係合しているので、オスコネクタ９００にニードルレスポート９５０から分離するような引っ張り力が加わっても、オスコネクタ９００とニードルレスポート９５０とが分離することはない。
【００１１】
オスコネクタ９００とニードルレスポート９５０との分離は、以下のようにして行う。
【００１２】
オスコネクタ９００の一対の操作片９１５を互いに接近するように変位させ、一対のロック片９１１の係合爪９１２とキャップ９６５の外周端縁９６６ｂとの係合を解除する。この状態で、オスコネクタ９００をニードルレスポート９５０から引き抜く。セプタム９５１のスリット９５２は、挿入部９０２が抜き去られると直ちに閉じる。セプタム９５１はリシール性を有するので、オスコネクタ９００とニードルレスポート９５０とを繰り返し接続／分離することができる。
【００１３】
上記のオスコネクタ９００は、弾性的に揺動可能なロックレバー９１０がニードルレスポート９５０と係合することにより、ニードルレスポート９５０にオスコネクタ９００を接続した状態でロックすることができるので、「レバーロック式」オスコネクタと呼ばれる。
【先行技術文献】
【特許文献】
【００１４】
【特許文献１】特開２００４−４８３号公報
【特許文献２】特許第３３８９９８３号明細書
【発明の概要】
【発明が解決しようとする課題】
【００１５】
しかしながら、上述したオスコネクタ９００は以下の問題を有している。
【００１６】
第１に、オスコネクタ９００をニードルレスポート９５０から分離するためには、２本の指で一対の操作片９１５を互いに接近するように変位させて係合爪９１２とキャップ９６５との係合を解除しなければならない。
【００１７】
一対の操作片９１５の変位量が小さすぎると、係合爪９１２とキャップ９６５との係合を解除することができない。また、一対の操作片９１５の変位量が不均一であると、キャップ９６５との係合が、一方の係合爪９１２については解除できても、他方の係合爪９１２については解除できないこともある。これらに気付かずにオスコネクタ９００をニードルレスポート９５０から強く引っ張ると、オスコネクタ９００を破損してしまう可能性がある。
【００１８】
逆に、係合爪９１２とキャップ９６５との係合を確実に解除しようとするあまり一対の操作片９１５を必要以上に大きく変位させると、支持片９０７の変形量が大きくなる。したがって、支持片９０７が永久変形してしまったり、破損したりしてしまう。
【００１９】
オスコネクタ９００をニードルレスポート９５０から分離する際に、以上のことに気をつけて一対の操作片９１５を適切に変位させることは、作業者にとって負担である。
【００２０】
第２に、フード９０５から一対の操作片９１５が大きく突出している。その結果、オスコネクタ９００の全体寸法が大きい。また、操作片９１５にチューブ等が引っ掛かり、作業性が低下する。
【００２１】
本発明は、上記の従来のレバーロック式オスコネクタが有する問題を解決するものである。即ち、本発明は、ニードルレスポートに対して繰り返し接続／分離することができる医療用オスコネクタであって、ニードルレスポートに対する分離作業が簡単であり、分離作業によって破損に至る可能性が低く、小型化することが可能な医療用オスコネクタを提供することを目的とする。また、本発明は、このような医療用オスコネクタとニードルレスポートとを備えた医療用接続具を提供することを目的とする。
【課題を解決するための手段】
【００２２】
本発明の医療用オスコネクタは、スリットが形成された弾性隔壁部材を備え、外周面に係合孔が形成されたニードルレスポートであって、前記係合孔の周方向の端縁の位置が不変である前記ニードルレスポートに接続可能な医療用オスコネクタであって、前記弾性隔壁部材の前記スリットに挿入される挿入部と、前記挿入部に対向する係合アームと、前記係合アームの前記挿入部に対向する側の面に設けられた、前記係合孔に嵌入する係合爪とを備える。前記係合爪の頂部に対して前記挿入部の中心軸を中心とする周方向の少なくとも一方の側に、前記挿入部から遠ざかるにしたがって前記係合爪の幅寸法が拡大するように傾斜した案内面が形成されていることを特徴とする。
【００２３】
本発明の医療用接続具は、スリットが形成された弾性隔壁部材を備え、外周面に係合孔が形成されたニードルレスポートであって、前記係合孔の周方向の端縁の位置が不変である前記ニードルレスポートと、前記弾性隔壁部材の前記スリットに挿入される挿入部、前記挿入部に対向する係合アーム、及び、前記係合アームの前記挿入部に対向する側の面に設けられ且つ前記係合孔に嵌入する係合爪を備えた医療用オスコネクタとを備える。前記ニードルレスポートの前記係合孔の周方向における少なくとも一方の側の前記端縁に、前記ニードルレスポートの中心軸から離れるにしたがって前記係合孔の開口幅が拡大するように傾斜した案内面が形成されていることを特徴とする。
【発明の効果】
【００２４】
本発明の医療用オスコネクタによれば、係合爪の頂部に対して周方向の少なくとも一方の側に、傾斜した案内面が形成されている。また、本発明の医療用接続具によれば、ニードルレスポートの係合孔の周方向における少なくとも一方の側に、傾斜した案内面が形成されている。従って、オスコネクタとニードルレスポートとが接続された状態においてニードルレスポートに対してオスコネクタを回転させれば、係合爪を係合孔から脱出させることができるので、オスコネクタとニードルレスポートとを分離することができる。よって、オスコネクタとニードルレスポートとを簡単な操作で分離することができる。また、係合爪が係合孔から脱出する際の係合爪の変位量は僅かであるから、分離作業によってオスコネクタが破損に至る可能性は低い。また、従来のオスコネクタが有していた操作片は不要であるので、オスコネクタを小型化することができる。
【図面の簡単な説明】
【００２５】
【図１】図１Ａは本発明の実施形態１にかかる医療用オスコネクタの上方から見た斜視図、図１Ｂはその下方から見た斜視図、図１Ｃはその側面図、図１Ｄはその下面図である。
【図２】図２は、図１Ｃの２−２線を含む面に沿った本発明の実施形態１にかかる医療用オスコネクタの矢視断面図である。
【図３】図３Ａは本発明の実施形態１にかかる医療用オスコネクタの接続部に接続されるネジロック型コネクタの斜視図、図３Ｂはその断面図である。
【図４】図４は、ネジロック型コネクタを構成するオスルアーの概略構成を示した斜視図である。
【図５】図５Ａはネジロック型コネクタを構成するロックナットの上方から見た斜視図、図５Ｂはその下方から見た斜視図、図５Ｃはその平面図、図５Ｄはその断面図である。
【図６】図６は、ネジロック型コネクタの、ロックナットをオスルアーに重ならないように後退させた状態を示した斜視図である。
【図７】図７Ａは本発明の実施形態１にかかる医療用オスコネクタとネジロック型コネクタとを接続した状態を示した斜視図、図７Ｂはその断面図である。
【図８】図８Ａは本発明の実施形態１にかかる医療用オスコネクタと接続されるニードルレスポートの斜視図、図８Ｂは図８Ａの８Ｂ−８Ｂ線を含む面に沿ったニードルレスポートの矢視断面図である。
【図９】図９は、本発明の実施形態１にかかる医療用オスコネクタ及びニードルレスポートの、接続前の状態を示した断面図である。
【図１０】図１０Ａは本発明の実施形態１にかかる医療用オスコネクタ及びニードルレスポートの接続時の状態を示した斜視図、図１０Ｂはその断面図である。
【図１１】図１１は、図１０Ｂの１１−１１線を含む面に沿った、接続された本発明の実施形態１にかかる医療用オスコネクタ及びニードルレスポートの矢視断面図である。
【図１２】図１２Ａは本発明の実施形態２にかかる医療用オスコネクタの下方から見た斜視図、図１２Ｂはその側面図、図１２Ｃはその下面図、図１２Ｄは図１２Ｂの１２Ｄ−１２Ｄ線を含む面に沿った矢視断面図である。
【図１３】図１３は、本発明の実施形態２にかかるニードルレスポートの斜視図である。
【図１４】図１４は、本発明の実施形態２において、オスコネクタの係合爪とニードルレスポートの係合孔との係合状態を示した断面図である。
【図１５】図１５は、本発明かかる別の医療用オスコネクタの断面図である。
【図１６】図１６Ａは、従来のレバーロック式オスコネクタの側面図、図１６Ｂはその断面図である。
【図１７】図１７は、図１６に示したレバーロック式オスコネクタ及びニードルレスポートの、接続する前の状態を示した側面図である。
【図１８】図１８は、図１６に示したレバーロック式オスコネクタ及びニードルレスポートの、接続した状態を示した断面図である。
【発明を実施するための形態】
【００２６】
上記の本発明のオスコネクタにおいて、前記係合爪が前記係合孔に嵌入したとき、前記係合孔の周方向の端縁が前記案内面に当接又は対向することが好ましい。かかる好ましい構成によれば、オスコネクタをニードルレスポートに対して回転させれば、案内面は係合孔の周方向の端縁上を直ちに摺動するので、係合爪を係合孔から確実に脱出させることができる。
【００２７】
上記の本発明のオスコネクタにおいて、前記医療用オスコネクタが前記ニードルレスポートに接続された状態において前記医療用オスコネクタを前記ニードルレスポートに対して回転させたとき、前記係合爪の前記案内面が前記係合孔の周方向の端縁上を摺動し、前記係合爪が前記係合孔から脱出することが好ましい。かかる好ましい構成によれば、係合爪を係合孔から確実に脱出させることができる。
【００２８】
この場合において、前記係合爪が前記係合孔から脱出すると、前記弾性隔壁部材が弾性回復し、前記挿入部を前記スリットから排出することが好ましい。かかる好ましい構成によれば、オスコネクタとニードルレスポートとの分離作業を更に簡単化することができる。
【００２９】
上記の本発明のオスコネクタにおいて、前記案内面が、前記係合爪の前記頂部に対して前記挿入部の前記中心軸を中心とする周方向の両側に設けられていることが好ましい。かかる好ましい構成によれば、ニードルレスポートに対してオスコネクタをいずれの方向に回転させても、オスコネクタとニードルレスポートとを分離させることができる。
【００３０】
上記の本発明のオスコネクタにおいて、前記係合爪に、前記頂部から前記係合アームの先端に近づくにしたがって前記挿入部から遠ざかるように傾斜した摺動面が形成されていることが好ましい。かかる好ましい構成によれば、オスコネクタをニードルレスポートに対して接近させ押し込むだけでオスコネクタとニードルレスポートとを接続することができる。
【００３１】
上記の本発明のオスコネクタにおいて、前記係合爪を備えた前記係合アームが前記挿入部の前記中心軸に対して等角度間隔に複数個設けられていることが好ましい。かかる好ましい構成によれば、オスコネクタとニードルレスポートとを等角度間隔に配置された複数箇所で係止することができるので、オスコネクタとニードルレスポートとを安定して接続することができる。
【００３２】
上記の本発明のオスコネクタと上記のニードルレスポートとを組み合わせて医療用接続具を構成してもよい。
【００３３】
次に、上記の本発明の医療用接続具において、前記係合爪が前記係合孔に嵌入したとき、前記係合爪が前記係合孔の前記案内面に当接又は対向することが好ましい。かかる好ましい構成によれば、オスコネクタをニードルレスポートに対して回転させれば、係合爪は案内面上を直ちに摺動するので、係合爪を係合孔から確実に脱出させることができる。
【００３４】
上記の本発明の医療用接続具において、前記医療用オスコネクタと前記ニードルレスポートとが接続された状態において前記医療用オスコネクタを前記ニードルレスポートに対して回転させたとき、前記係合爪が前記案内面上を摺動し、前記係合爪が前記係合孔から脱出することが好ましい。かかる好ましい構成によれば、係合爪を係合孔から確実に脱出させることができる。
【００３５】
この場合において、前記係合爪が前記係合孔から脱出すると、前記弾性隔壁部材が弾性回復し、前記挿入部を前記スリットから排出することが好ましい。かかる好ましい構成によれば、オスコネクタとニードルレスポートとの分離作業を更に簡単化することができる。
【００３６】
上記の本発明の医療用接続具において、前記案内面が、前記係合孔の周方向における両側に設けられていることが好ましい。かかる好ましい構成によれば、ニードルレスポートに対してオスコネクタをいずれの方向に回転させても、オスコネクタとニードルレスポートとを分離させることができる。
【００３７】
上記の本発明の医療用接続具において、前記ニードルレスポートの外周面の、前記医療用オスコネクタ側の端縁と前記係合孔との間の領域に、前記係合孔に近づくにしたがって前記ニードルレスポートの前記中心軸から離れるように傾斜した摺動面が形成されていることが好ましい。かかる好ましい構成によれば、オスコネクタをニードルレスポートに対して接近させ押し込むだけでオスコネクタとニードルレスポートとを接続することができる。
【００３８】
上記の本発明の医療用接続具において、前記係合爪の頂部に対して前記挿入部の中心軸を中心とする周方向の少なくとも一方の側に、前記挿入部から遠ざかるにしたがって前記係合爪の幅寸法が拡大するように傾斜した第２案内面が形成されていることが好ましい。かかる好ましい構成によれば、オスコネクタをニードルレスポートに対して回転させれば、オスコネクタの第２案内面はニードルレスポートの案内面上を摺動するので、係合爪を係合孔からよりスムーズに脱出させることができる。
【００３９】
上記の本発明の医療用接続具において、前記係合爪に、前記頂部から前記係合アームの先端に近づくにしたがって前記挿入部から遠ざかるように傾斜した第２摺動面が形成されていることが好ましい。かかる好ましい構成によれば、オスコネクタをニードルレスポートに対して接近させ押し込むと、オスコネクタの第２摺動面はニードルレスポートの摺動面上を摺動するので、係合爪を係合孔にスムーズに導いて嵌入させることができる。
【００４０】
上記の本発明の医療用接続具において、前記係合孔が前記ニードルレスポートの前記中心軸に対して等角度間隔に複数個設けられており、前記係合爪を備えた前記係合アームが前記挿入部の前記中心軸に対して等角度間隔に複数個設けられていることが好ましい。かかる好ましい構成によれば、オスコネクタとニードルレスポートとを等角度間隔に配置された複数箇所で係止することができるので、オスコネクタとニードルレスポートとを安定して接続することができる。
【００４１】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の部材を備え得る。また、以下の各図中の寸法は、実際の寸法および寸法比率等を忠実に表したものではない。
【００４２】
（実施形態１）
図１Ａは本発明の実施形態１にかかる医療用オスコネクタ（以下、単に「オスコネクタ」という）４０の上方から見た斜視図、図１Ｂはその下方から見た斜視図、図１Ｃはその側面図、図１Ｄはその下面図である。以下の説明の便宜のため、図１Ｃの紙面の上側をメオスネクタ４０の「上側」と呼び、図１Ｃの紙面の下側をオスコネクタ４０の「下側」と呼ぶ。なお、オスコネクタ４０のこの上下方向は、オスコネクタ４０が実際に使用される状況での姿勢を意味するものではない。
【００４３】
図１Ａ、図１Ｂ、図１Ｃに示されているように、オスコネクタ４０は、いずれもが略円筒形状を有する接続部４１及び挿入部４５を有する。接続部４１の内周面にはＩＳＯ５９４−１に準拠した６％のテーパ面４２が形成されており、接続部４１の外周面にはＩＳＯ５９４−２に準拠した雄ネジ４３が形成されている。接続部４１及び挿入部４５は共通する中心軸４０ａを有し、互いに連通している。
【００４４】
接続部４１と挿入部４５との境界に、略矩形の板状の支持部材４６が接続部４１及び挿入部４５と一体的に設けられている。支持部材４６の長軸方向の対向する端縁に、一対の係合アーム５０が設けられている。係合アーム５０は、支持部材４６から下側に向かって、中心軸４０ａと略平行に且つ挿入部４５に対向するように延びている。一対の係合アーム５０は、その下端の間隔が拡がるように弾性変形可能である。
【００４５】
各係合アーム５０の挿入部４５に対向する面には、挿入部４５に向かって突出した係合爪５１が設けられている。係合爪５１の挿入部４５に最も接近した部分である頂部５２を通る図１Ｃの２−２線を含む面に沿った矢視断面図を図２に示す。図２に示すように、係合爪５１の頂部５２に対して中心軸４０ａを中心とする周方向の両側に、挿入部４５から遠ざかるにしたがって係合爪５１の幅寸法が拡大するように傾斜した案内面５３が形成されている。ここで、係合爪５１の「幅寸法」とは、挿入部４５から見た係合爪５１の上下方向（中心軸４０ａの方向）と直交する方向（水平方向）の寸法を意味し、図２の紙面の上下方向に沿った係合爪５１の寸法を意味する。図２の例では、案内面５３は外側に凸状に湾曲した曲面であるが、本発明はこれに限定されず、外側に凹状に湾曲した曲面であってもよく、あるいは、平坦な面であってもよい。
【００４６】
また、図１Ｃに示されているように、係合爪５１の頂部５２の下側には、頂部５２から下方に離れるにしたがって挿入部４５から遠ざかるように傾斜した摺動面５４が形成されている。本例では摺動面５４は平坦な面であるが、本発明はこれに限定されず、外側に凸状又は凹状に湾曲した曲面であってもよい。
【００４７】
オスコネクタ４０の接続部４１には、図３Ａ及び図３Ｂに示すネジロック型コネクタ１０が接続される。図３Ａはネジロック型コネクタ１０の斜視図、図３Ｂはその断面図である。ネジロック型コネクタ１０は、オスルアー２０と、オスルアー２０の回りに回転可能に設けられたロックナット３０とを備える。
【００４８】
図４は、ネジロック型コネクタ１０を構成するオスルアー２０の概略構成を示した斜視図である。オスルアー２０は、その長手方向に沿った貫通孔２１が形成された、全体として略円筒形状を有する。オスルアー２０の一端（即ち、先端）の外周面には、ＩＳＯ５９４−１に準拠した６％のテーパ面２２が形成され、その他端（即ち、基端２３）には柔軟なチューブ２９が接続される（図３Ａ、図３Ｂ参照）。テーパ面２２の最大径箇所には周方向に連続する環状突起２４が形成されている。環状突起２４よりも基端２３側の部分の外周面は外径が一定の円筒面２５であり、この円筒面２５に、長手方向方向に平行に延びた一対の案内突起２６が対称位置に形成されている。
【００４９】
図５Ａはネジロック型コネクタ１０を構成するロックナット３０の上方から見た斜視図、図５Ｂはその下方から見た斜視図、図５Ｃはその平面図、図５Ｄはその断面図である。ロックナット３０は、全体として略円筒形状を有する。ロックナット３０の内周面には、その下端から略中央部にわたってＩＳＯ５９４−２に準拠した雌ネジ３２が形成されている。雌ネジ３２よりも上側には、周方向に延びた位置規制突起３３が形成されている。位置規制突起３３には一対の案内路３４が略対称位置に形成されており、この一対の案内路３４にて位置規制突起３３は周方向に分断されている。
【００５０】
図６に示したように、オスルアー２０の基端２３に柔軟性を有するチューブ２９が接続される。ロックナット３０の雌ネジ３２が形成された側をオスルアー２０側にして、ロックナット３０にチューブ２９が挿入される。この状態において、オスルアー２０の基端２３をロックナット３０内に挿入することができる。オスルアー２０の回りにロックナット３０を回転させて、オスルアー２０の外周面に形成された一対の案内突起２６とロックナット３０の内周面の一対の案内路３４とを一致させると、一対の案内突起２６は一対の案内路３４を通過することができる。従って、図３Ｂに示されているように、オスルアー２０の外周面に形成された環状突起２４と一対の案内突起２６との間にロックナット３０の位置規制突起３３が位置するように、オスルアー２０をロックナット３０に内挿することができる。かくして、図３Ａ及び図３Ｂに示されているように、オスルアー２０にロックナット３０が装着されたネジロック型コネクタ１０を組み立てることができる。このとき、ロックナット３０は、オスルアー２０の回りを自由に回転可能である。一方、図３Ｂに示されているように、環状突起２４と位置規制突起３３とが衝突するので、ロックナット３０はオスルアー２０に対してその先端（テーパ面２２）側へ移動するのが制限される。
【００５１】
オスコネクタ４０とネジロック型コネクタ１０との接続は、以下のようにして行われる。
【００５２】
図３Ａ及び図３Ｂに示すように、ロックナット３０の位置規制突起３３がオスルアー２０の環状突起２４と一対の案内突起２６との間に位置するように、ロックナット３０をオスルアー２０に配置する。この状態で、オスルアー２０のテーパ面２２をオスコネクタ４０の接続部４１のテーパ面４２に挿入し、ロックナット３０の雌ネジ３２とオスコネクタ４０の雄ネジ４３とを螺合させる。図７Ａは、オスコネクタ４０とネジロック型コネクタ１０とを接続した状態を示した斜視図、図７Ｂはその断面図である。ロックナット３０の位置規制突起３３とオスルアー２０の環状突起２４とが係合しているので、オスコネクタ４０の雄ネジ４３とロックナット３０の雌ネジ３２とを螺合させると、オスコネクタ４０のテーパ面４２内にオスルアー２０のテーパ面２２が進入する。両テーパ面４２，２２はＩＳＯ５９４−１に準拠しているのでテーパ面４２，２２間に液密なシールが形成される。オスコネクタ４０とネジロック型コネクタ１０とを分離する場合は、オスコネクタ４０に対してロックナット３０を上記とは逆に回転させればよい。
【００５３】
図８Ａはオスコネクタ４０と接続されるニードルレスポート１００の斜視図、図８Ｂは図８Ａの８Ｂ−８Ｂ線を含む面に沿ったニードルレスポート１００の矢視断面図である。
【００５４】
ニードルレスポート１００は、ポート本体１０１と、略円板形状の弾性隔壁部材（以下、「セプタム」という）１１０と、ポート本体１０１に装着されたキャップ１２０とを備える。図８Ａ及び図８Ｂにおいて、参照符号１００ａは、ニードルレスポート１００の中心軸を示す。以下の説明の便宜のため、図８Ｂの紙面の上側をニードルレスポート１００の「上側」と呼び、図８Ｂの紙面の下側をニードルレスポート１００の「下側」と呼ぶ。なお、ニードルレスポート１００のこの上下方向は、ニードルレスポート１００が実際に使用される状況での姿勢を意味するものではない。
【００５５】
セプタム１１０は、ゴム等の弾性材料からなり、その中央部には直線状のスリット（切り込み）１１１が形成されている。セプタム１１０は、ポート本体１０１とキャップ１２０とに挟持され固定されている。キャップ１２０の天板１２１の中央には円形の開口１２２が形成されている。開口１２２内にセプタム１１０のスリット１１１が露出している。
【００５６】
キャップ１２０は、天板１２１から下側に向かって延びた一対の係合片１２３を備える。各係合片１２３には、中心軸１００ａから放射方向に貫通した係合孔１２４が形成されている。係合孔１２４にポート本体１０１の係止突起１０２が嵌入し、両者が係合することにより、キャップ１２０はポート本体１０１に固定されている。
【００５７】
係合片１２３の外面上の、係合片１２３の上側端縁（または天板１２１の外周端縁）と係合孔１２４との間の領域に、摺動面１０４が形成されている。摺動面１０４は、下側（係合孔１２４の側）に行くにしたがって中心軸１００ａから離れるように傾斜している。本例では摺動面１０４は平坦な面であるが、本発明はこれに限定されず、外側に凸状に湾曲した曲面、または外側に凹状に湾曲した曲面であってもよい。
【００５８】
ニードルレスポート１００の外周面は略円筒面であり、係合片１２３の外面はその一部を構成する。
【００５９】
ポート本体１０１には、中心軸１００ａに沿った流路１０５が形成されている。ポート本体１０１の下端の円筒状の基端１０７に柔軟なチューブ１０９が接続されている。
【００６０】
図７Ａ及び図７Ｂに示した本実施形態１のオスコネクタ４０と図８Ａ及び図８Ｂに示したニードルレスポート１００との接続は以下のようにして行う。
【００６１】
図９に示すように、オスコネクタ４０とニードルレスポート１００とを対向させ、両者を接近させる。オスコネクタ４０の挿入部４５をキャップ１２０の開口１２２に挿入する。ニードルレスポート１００に向かってオスコネクタ４０を更に押し込むと、セプタム１１０が弾性変形して、セプタム１１０のスリット１１１内に挿入部４５を挿入することができる。
【００６２】
これと並行して、オスコネクタ４０の係合爪５１の摺動面５４が、キャップ１２０の摺動面１０４に接触する。摺動面５４及び摺動面１０４は、いずれも下側ほど中心軸４０ａ，１００ａから遠ざかるように傾斜した傾斜面である。したがって、ニードルレスポート１００に向かってオスコネクタ４０を押し込むにしたがって、摺動面５４が摺動面１０４上を下方に向かって摺動し、互いに対向する係合爪５１間の間隔が拡大するように一対の係合アーム５０が弾性変形する。そして、係合爪５１の頂部５２が係合孔１２４に到達すると、一対の係合アーム５０が弾性回復し、係合爪５１が係合孔１２４内に嵌入し、係合爪５１と係合孔１２４（より正確には、係合孔１２４の上側端縁）とが係合する。
【００６３】
図１０Ａはオスコネクタ４０及びニードルレスポート１００の接続時の状態を示した斜視図、図１０Ｂはその断面図である。オスルアー２０、オスコネクタ４０及びニードルレスポート１００を介して、チューブ２９とチューブ１０９とが連通している。ニードルレスポート１００に対してオスコネクタ４０を中心軸４０ａ，１００ａに沿って引っ張っても、係合爪５１が係合孔１２４から抜け出ることはなく、従って、オスコネクタ４０とニードルレスポート１００とを分離することはできない。
【００６４】
図１１は、頂部５２を通る図１０Ｂの１１−１１線を含む面に沿った矢視断面図である。係合爪５１の周方向の両側に形成された案内面５３が、係合孔１２４の周方向の両側の端縁１２５にそれぞれ当接又は対向している。
【００６５】
図１０Ａ及び図１０Ｂのように接続されたオスコネクタ４０とニードルレスポート１００との分離は以下のようにして行う。
【００６６】
図１０Ａ及び図１１に示すように、オスコネクタ４０を、ニードルレスポート１００に対して、中心軸４０ａ，１００ａの回りに矢印４９の向きに回転させる。これにより、図１１において、係合爪５１の、回転方向４９の前側に位置する案内面５３が、係合孔１２４の端縁１２５に当接する。案内面５３は、上述したように傾斜している。したがって、オスコネクタ４０が回転方向４９に回転するにしたがって、案内面５３が端縁１２５上を摺動し、互いに対向する係合爪５１間の間隔が拡大するように一対の係合アーム５０が弾性変形する。遂には、係合爪５１が係合孔１２４から完全に脱出し、係合爪５１と係合孔１２４との係合が解除される。これにより、オスコネクタ４０及びニードルレスポート１００間の中心軸４０ａ，１００ａ方向の拘束が解除される。従って、挿入部４５が挿入されていたセプタム１１０（図１０Ｂ参照）が直ちに弾性回復し、挿入部４５を排出する。必要に応じて、オスコネクタ４０をニードルレスポート１００から引き抜いてもよい。かくして、オスコネクタ４０とニードルレスポート１００とが分離される。挿入部４５が抜き去られたセプタム１１０のスリット１１１は直ちに閉じる。
【００６７】
本実施形態では、係合爪５１に対して中心軸４０ａを中心とする周方向の両側に案内面５３が形成されているので、オスコネクタ４０をニードルレスポート１００に対して矢印４９とは逆向きに回転させても、上記と同様にオスコネクタ４０とニードルレスポート１００とを分離することができる。
【００６８】
セプタム１１０はリシール性を有するので、オスコネクタ４０とニードルレスポート１００とを繰り返し接続／分離することができる。
【００６９】
以上のように、本実施形態１では、オスコネクタ４０とニードルレスポート１００とを接続する際には、係合爪５１と係合孔１２４とが係合する前に、オスコネクタ４０の摺動面５４及びニードルレスポート１００の摺動面１０４が一対の係合アーム５０を弾性変形させる。従って、ニードルレスポート１００に対してオスコネクタ４０を単に押し込むだけで、オスコネクタ４０とニードルレスポート１００とを接続することができる。
【００７０】
また、オスコネクタ４０とニードルレスポート１００とが接続された状態において、ニードルレスポート１００に対して単にオスコネクタ４０を回転させるという極めて簡単な操作を行うだけで、オスコネクタ４０とニードルレスポート１００とを分離することができる。上述した従来のレバーロック式オスコネクタ９００では、ニードルレスポート９５０から分離するために、一対の操作片９１５を所定量だけ変位させる操作が必要であった。本実施形態１では、このような操作は不要である。また、本実施形態１では、オスコネクタ４０とニードルレスポート１００とを分離するための一対の係合アーム５０の弾性変形量は、係合爪５１が係合孔１２４から脱出することができれば十分であるので僅かである。また、当該弾性変形量は、係合孔１２４に対する係合爪５１の嵌入深さに依存するので、作業者によらず常に略一定である。従って、オスコネクタ４０とニードルレスポート１００との分離作業によって、オスコネクタ４０を破損する可能性は極めて低い。更に、従来のレバーロック式オスコネクタ９００では必須であった一対の操作片９１５が本実施形態のオスコネクタ４０では不要である。従って、オスコネクタ４０には大きな突出物は存在せず、オスコネクタ４０を小型化することができる。また、オスコネクタ４０にチューブ等が引っ掛かる可能性が低減され、作業性が向上する。
【００７１】
上記の実施形態では、案内面５３は、係合爪５１に対して中心軸４０ａを中心とする周方向の両側に形成されていた。この構成では、オスコネクタ４０をニードルレスポート１００に対していずれの向きに回転させても、オスコネクタ４０とニードルレスポート１００とを分離することができる。しかしながら、係合爪５１に対して中心軸４０ａを中心とする周方向のいずれか一方の側にのみ案内面５３を形成してもよい。この場合は、案内面５３が係合孔１２４の端縁１２５に当接する向きにオスコネクタ４０をニードルレスポート１００に対して回転させた場合にのみ、オスコネクタ４０とニードルレスポート１００とを分離することが可能となる。
【００７２】
オスコネクタ４０、ニードルレスポート１００を構成するポート本体１０１及びキャップ１２０、ネジロック型コネクタ１０を構成するオスルアー２０及びロックナット３０は、特に制限はないが、例えば樹脂材料を用いてそれぞれ一体に作成することができる。使用可能な樹脂材料は、特に制限はないが、例えばポリカーボネート、ポリプロピレン、ポリエチレンを例示することができる。
【００７３】
（実施形態２）
以下に、本実施形態２を、実施形態１との相違点を中心に説明する。本実施形態２を示す図において、実施形態１で説明した図に示された部材と同じ部材には同じ符号が付されており、それらについての重複する説明を省略する。
【００７４】
図１２Ａは本実施形態２にかかるオスコネクタ４０の下方から見た斜視図、図１２Ｂはその側面図、図１２Ｃはその下面図、図１２Ｄは図１２Ｂの１２Ｄ−１２Ｄ線を含む面に沿った矢視断面図である。本実施形態２のオスコネクタ４０には、実施形態１では設けられていた、係合爪５１の頂部５２に対して周方向の両側に傾斜した案内面５３（図１Ｂ、図１Ｄ、図２参照）は設けられていない。本実施形態２では、係合爪５１の頂部５２に対して周方向の両側の側面５５は、一対の係合アーム５０が対向する方向と平行である。即ち、係合爪５１の幅寸法は、挿入部４５からの距離にかかわらず一定である。
【００７５】
図１３は本発明の実施形態２にかかるニードルレスポート１００の斜視図である。本実施形態２では、係合孔１２４の周方向の両側には、中心軸１００ａ（図８Ｂ参照）から離れるにしたがって係合孔１２４の開口幅が拡大するように傾斜した案内面１２７が形成されている。ここで、係合孔１２４の「開口幅」とは、中心軸１００ａと直交する方向に沿って見た係合孔１２４の上下方向と直交する方向（水平方向）の寸法を意味する。一対の案内面１２７によって、係合孔１２４の開口幅は、中心軸１００ａから離れるにしたがって楔状に拡大する。本実施形態では、案内面１２７は平坦な面であるが、本発明はこれに限定されず、外側に凸状又は凹状に湾曲した曲面であってもよい。
【００７６】
本実施形態２のオスコネクタ４０及びニードルレスポート１００は、上記を除いて実施形態１のそれらと同じである。
【００７７】
本実施形態２のオスコネクタ４０とニードルレスポート１００との接続方法は、実施形態１と同じである。即ち、ニードルレスポート１００に向かってオスコネクタ４０を押し込むだけで、セプタム１１０のスリット１１１内に挿入部４５を挿入することができ、また、係合爪５１が係合孔１２４内に嵌入し係合爪５１と係合孔１２４とを係合させることができる。
【００７８】
図１４は、オスコネクタ４０とニードルレスポート１００とが接続された状態において、係合爪５１と係合孔１２４との係合状態を、図１１と同様に示した断面図である。係合爪５１の頂部５２の周方向の両端が、係合孔１２４の周方向の両側に形成された案内面１２７に当接又は対向している。
【００７９】
本実施形態において、接続されたオスコネクタ４０とニードルレスポート１００とを分離するためには、実施形態１と同様に、オスコネクタ４０を、ニードルレスポート１００に対して、中心軸４０ａ，１００ａの回りに矢印４９の向きに回転させる。これにより、係合爪５１の頂部５２の、回転方向４９の前側に位置する端部が、係合孔１２４の案内面１２７に当接する。案内面１２７は、上述したように傾斜している。したがって、オスコネクタ４０が回転方向４９に回転するにしたがって、係合爪５１の頂部５２が案内面１２７上を摺動し、互いに対向する係合爪５１間の間隔が拡大するように一対の係合アーム５０が弾性変形する。遂には、係合爪５１が係合孔１２４から完全に脱出し、係合爪５１と係合孔１２４との係合が解除される。その後は、実施形態１と同様に、挿入部４５が挿入されていたセプタム１１０（図１０Ｂ参照）が直ちに弾性回復し、挿入部４５を排出する。必要に応じて、オスコネクタ４０をニードルレスポート１００から引き抜いてもよい。かくして、オスコネクタ４０とニードルレスポート１００とが分離される。挿入部４５が抜き去られたセプタム１１０のスリット１１１は直ちに閉じる。
【００８０】
本実施形態では、係合孔１２４に対して中心軸４０ａを中心とする周方向の両側に案内面１２７が形成されているので、オスコネクタ４０をニードルレスポート１００に対して矢印４９とは逆向きに回転させても、上記と同様にオスコネクタ４０とニードルレスポート１００とを分離することができる。
【００８１】
以上のように、本実施形態２では、オスコネクタ４０をニードルレスポート１００に対して回転させたとき、係合孔１２４の周方向の両側に形成された案内面１２７が、実施形態１の案内面５３と同様に、一対の係合アーム５０を弾性変形させ、係合爪５１と係合孔１２４との係合を解除させる。従って、実施形態１と同様に、ニードルレスポート１００に対して単にオスコネクタ４０を回転させるという極めて簡単な操作を行うだけで、オスコネクタ４０とニードルレスポート１００とを分離することができる。
【００８２】
上記の実施形態２では、案内面１２７は、係合孔１２４に対して中心軸４０ａを中心とする周方向の両側に形成されていた。この構成では、オスコネクタ４０をニードルレスポート１００に対していずれの向きに回転させても、オスコネクタ４０とニードルレスポート１００とを分離することができる。しかしながら、係合孔１２４に対して中心軸４０ａを中心とする周方向のいずれか一方の側にのみ案内面１２７を形成してもよい。この場合は、係合爪５１が案内面１２７に当接する向きにオスコネクタ４０をニードルレスポート１００に対して回転させた場合にのみ、オスコネクタ４０とニードルレスポート１００とを分離することが可能となる。
【００８３】
上記の実施形態２において、係合爪５１の頂部５２に対して周方向の両側の側面５５の少なくとも一方を、実施形態１で説明した傾斜した案内面５３（図１Ｂ、図１Ｄ、図２参照）に置き換えてもよい。この場合、オスコネクタ４０とニードルレスポート１００とが接続された状態において、オスコネクタ４０をニードルレスポート１００に対して回転させると、案内面１２７に対して案内面５３が当接し摺動して、上記と同様に一対の係合アーム５０を弾性変形させる。従って、オスコネクタ４０とニードルレスポート１００とを分離することができる。
【００８４】
本実施形態２は、上記を除いて実施形態１と同じであり、実施形態１と同様の効果を奏する。
【００８５】
上記の実施形態１，２は例示に過ぎず、本発明はこれに限定されず、適宜変更することができる。
【００８６】
例えば、上記のオスコネクタ４０の接続部４１は、ネジロック型コネクタ１０を介してチューブ２９と接続されていたが、図１５に示すように、接続部４１にチューブ２９が直接接続されていてもよい。この場合、接続部４１の外周面に雄ネジ４３を形成する必要はない。また、接続部４１の内周面にテーパ面４２を形成する必要もない。また、オスコネクタ４０の接続部４１は、上記以外の方法でチューブ２９と接続されていてもよい。更には、オスコネクタ４０の接続部４１が、チューブ２９以外の部材、例えばシリンジ等に分離可能に又は一体的に接続されていてもよい。
【００８７】
従来のレバーロック式コネクタ９００のフード９０５と同様のフードを、オスコネクタ４０に設けてもよい。このフードは、挿入部４５と同軸の略円筒形状を有し、挿入部４５を取り囲む。このようなフードを設けることにより、オスコネクタ４０とニードルレスポート１００との接続作業が容易になる。
【００８８】
上記の実施形態１，２において、オスコネクタ４０の摺動面５４及びニードルレスポート１００の摺動面１０４のうちのいずれか一方を省略することができる。摺動面５４及び摺動面１０４のうちいずれか一方のみが存在すれば、ニードルレスポート１００に向かってオスコネクタ４０を押し込んだときに一対の係合アーム５０が弾性変形するので、上記の実施形態１，２と同様にオスコネクタ４０とニードルレスポート１００とを接続することができる。
【００８９】
上記の実施形態１，２では、係合し合う係合爪５１及び係合孔１２４は、中心軸４０ａ，１００ａに対して対称位置に各２つ設けられていたが、係合爪５１及び係合孔１２４の数は各２つに限定されず、各３つ以上であってもよい。係合爪５１及び係合孔１２４は、その数にかかわらず、中心軸４０ａ，１００ａに対して等角度間隔で設けられることが、オスコネクタ４０とニードルレスポート１００との安定した接続のために好ましい。
【００９０】
上記の実施形態１，２では、係合爪５１が嵌入する係合孔１２４はキャップ１２０に形成されていたが、本発明はこれに限定されない。係合孔１２４は、ニードルレスポート１００の略円筒面である外周面上に形成されいればよい。例えば、係合孔１２４をポート本体１０１の外周面に形成することもできる。
【００９１】
上記の実施形態１，２では、ニードルレスポート１００は、チューブ１０９の一端に設けられていたが、本発明はこれに限定されない。例えば、ニードルレスポート１００が、液状物が流れるチューブの途中に設けられる混注ポート（例えば特許文献２参照）であってもよい。あるいは、ニードルレスポート１００が、柔軟な材料からなる袋状物（いわゆるパウチ）や硬質材料からなる容器などに設けられていてもよい。
【産業上の利用可能性】
【００９２】
本発明の利用分野は特に制限はなく、例えば薬液や血液などの液状物を輸送する輸送ラインにおいて異なる部材を接続するためのオスコネクタ及び接続具として広範囲に利用することができる。
【符号の説明】
【００９３】
４０  医療用オスコネクタ
４０ａ  中心軸
４１  接続部
４５  挿入部
４６  支持部材
４９  回転方向
５０  係合アーム
５１  係合爪
５２  係合爪の頂部
５３  係合爪の案内面
５４  係合爪の摺動面
５５  係合爪の側面
１００  ニードルレスポート
１００ａ  中心軸
１０１ポート本体
１０４  ニードルレスポートの摺動面
１１０  弾性隔壁部材（セプタム）
１１１  スリット
１２０  キャップ
１２４  係合孔
１２５  係合孔の周方向の端縁
１２７  係合孔の案内面
【図１】
0005812314.tif 000002
【図２】
0005812314.tif 000003
【図３】
0005812314.tif 000004
【図４】
0005812314.tif 000005
【図５】
0005812314.tif 000006
【図６】
0005812314.tif 000007
【図７】
0005812314.tif 000008
【図８】
0005812314.tif 000009
【図９】
0005812314.tif 000010
【図１０】
0005812314.tif 000011
【図１１】
0005812314.tif 000012
【図１２】
0005812314.tif 000013
【図１３】
0005812314.tif 000014
【図１４】
0005812314.tif 000015
【図１５】
0005812314.tif 000016
【図１６】
0005812314.tif 000017
【図１７】
0005812314.tif 000018
【図１８】
0005812314.tif 000019